(57)【要約】【課題】手及び指の自由度の低い者にとって操作性の良い座標指示入力装置を提供すること、及び手首及び指に負担がかからないマウスを提供することである。【解決手段】座標指示入力装置本体の移動を検出する検出部と、前記検出部によって検出された情報に基づいて座標指示入力信号を出力する信号処理部と、を備える座標指示入力装置において、前記座標指示入力装置本体の移動を検出する有効状態と本体の移動を検出しない無効状態とを切り換える切換手段を備えることを特徴とする座標指示入力装置とした。【選択図】図１
2007122475.tif 000002
【特許請求の範囲】
【請求項１】
座標指示入力装置本体の移動を検出する検出部と、前記検出部によって検出された情報に基づいて座標指示入力信号を出力する信号処理部と、を備える座標指示入力装置において、
前記座標指示入力装置本体の移動を検出する有効状態と本体の移動を検出しない無効状態とを切り換える切換手段を備えることを特徴とする座標指示入力装置。
【請求項２】
前記座標入力装置は弾性体を備え、
前記弾性体が圧縮すると、前記切換手段は前記有効状態に切り換えることを特徴とする請求項１に記載の座標指示入力装置。
【請求項３】
前記検出部は、光を発光する発光部と前記発光部によって発せられた光を受ける受光部とを備え、
前記弾性体は、前記座標指示入力装置の前方又は前記座標指示入力装置の後方のいずれか一方を、前記座標指示入力装置が前記平面と離れる方向に付勢し、
前記弾性体に所定の荷重が加えられると、前記発光部によって発光された光が前記平面に反射して前記受光部に入射する位置に前記座標指示入力装置が位置することによって、前記切換手段は前記有効状態に切り換えることを特徴とする請求項２に記載の座標指示入力装置。
【請求項４】
前記検出部は、前記平面上を回転可能なボールと前記ボールの回転を検出する動きセンサとを備え、
前記弾性体は、前記座標指示入力装置の前方又は前記座標指示入力装置の後方のいずれか一方を、前記座標指示入力装置が前記平面と離れる方向に付勢し、
前記弾性体に所定の荷重が加えられると、前記ボールが前記平面と接触する位置に前記座標指示入力装置が位置することによって、前記有効状態に切り換えることを特徴とする請求項２に記載の座標指示入力装置。
【請求項５】
前記切換手段は、前記有効状態と前記無効状態とを切り換える切換スイッチを備えることを特徴とする請求項１に記載の座標指示入力装置。
【請求項６】
前記座標支持入力装置は、前記平面と対向する略平面上の底面部側に前記切換スイッチを備え、
前記切換スイッチは、前記座標支持入力装置を介して荷重が加わることを特徴とする請求項５に記載の座標指示入力装置。
【請求項７】
前記切換スイッチは、前記検出部に電源を供給することによって前記有効状態に切り換え、前記検出部への電源の供給を遮断することによって前記無効状態に切り換えることを特徴とする請求項５に記載の座標指示入力装置。
【請求項８】
前記切換スイッチは、前記発光部に電源を供給することによって前記有効状態に切り換え、前記発光部への電源の供給を遮断することによって前記無効状態に切り換えることを特徴とする請求項７に記載の座標指示入力装置。
【請求項９】
前記切換スイッチは、前記検出部を前記信号処理部に接続することによって前記有効状態に切り換え、前記検出部の前記信号処理部の接続を遮断することによって前記無効状態に切り換えることを特徴とする請求項５に記載の座標指示入力装置。
【請求項１０】
前記無効状態では、前記信号処理部は、前記検出部によって検出された情報を無効化する停止信号を出力することを特徴とする請求項５に記載の座標指示入力装置。
【請求項１１】
前記座標指示入力装置に第一の荷重が加わると、前記切換手段は前記有効状態に切り換え、
前記座標支持入力装置に前記第一の荷重よりも大きな第二の荷重が加わると、前記座標指示入力装置による操作を示す操作信号を前記信号処理部に送信することを特徴とする請求項１に記載の座標指示入力装置。
【請求項１２】
前記検出部は、光を発光する発光部と前記光を受ける受光部とを備え、
前記座標支持入力装置は、前記座標指示入力装置の前方を前記座標指示入力装置が前記平面と離れる方向に付勢する弾性体とを備え、
前記切換手段は、前記有効状態と前記無効状態とを切り換える切換スイッチを備え、
前記座標指示入力装置に第一の荷重が加えられると、前記座標指示入力装置は前記発光部によって発光された光が前記平面に反射して前記受光部に入射する位置に位置し、かつ前記切換スイッチは、前記検出部に電源を供給することによって、前記有効状態に切り換えることを特徴とする請求項１１記載の座標指示入力装置。
【発明の詳細な説明】
【技術分野】
【０００１】
本発明は座標入力を行うための座標指示入力装置に関する。
【背景技術】
【０００２】
座標指示入力装置は、マウス、トラックボール、タッチパネル、タッチパッド、デジタイザ、ジョイスティック等、種々の形態が存在する。しかしながら、今日、移動に関して直感的に操作できる操作性、装置自体の大きさ及び重さ等による使用性、構造の単純性及び耐久性の面において優れるマウスが一般的に普及している。
【０００３】
ユーザは、ユーザの手でマウスのハウジングを把持することによって、マウスを平面上で移動させる。マウスを移動させると、マウスが接続されているホスト機器の画面のカーソルが移動する。
【０００４】
マウスには、図３３及び図３５に示すようなボール型マウスと図３４及び図３６に示すような光学式マウスが一般的に知られている。
【０００５】
図３３を参照して、ボール型マウスについて説明する。
【０００６】
ボール型マウスは、ハウジング１、検出部、信号処理部９及びインタフェース部を備える。
【０００７】
ハウジング１は、ユーザが手で把持しやすい大きさ及び形状である。また、ハウジング１は、その内部に少なくとも検出部及び信号処理部９を備える。ハウジング１は、平面７と対面する略平面形状の底面部を備える。
【０００８】
なお、ハウジング１は、底面部の前方（以下、ユーザがマウスを把持したとき指先側を前方とする）にすべり板４を備える。ハウジング１は、底面部の後方にすべり板４を備える。すべり板４は、ボール型マウスが平面７に対して滑りやすくなるように低摩擦係数の材料からなる。
【０００９】
検出部は、ボール１０及び動きセンサ１１を備える。
【００１０】
ボール１０の一部は、ハウジング１の底面部の中央部付近のボール孔から突出する。ユーザがボール型マウスを平面７と接触させた状態でボール型マウスを移動させると、ボール１０は平面７との摩擦によって回転する。
【００１１】
動きセンサ１１は、ボール１０の回転からマウスの移動を検出する。動きセンサ１１は、ボール１０の回転を直交する２方向に分けて検出する。このために、動きセンサ１１は、ボール１０と接触してボール１０と連動して回転可能な図示せぬローラを直交する２方向に備える。また、動きセンサ１１は、各ローラの回転を検出するロータリーエンコーダを備える。
【００１２】
従って、ボール１０の回転に連動して回転するローラの回転をロータリーエンコーダが検出することによって、検出部はボール型マウスの移動を検出する。
【００１３】
信号処理部９は、検出部５が検出した情報に基づいてマウスの現在位置、移動量、移動方向及び速度等を座標指示入力情報としてインタフェース部に送信する。
【００１４】
インタフェース部は、マウスとホスト機器を接続する。インタフェース部は、有線を用いても、無線を用いてもよい。
【００１５】
選択スイッチ８は、画面上に表示された文字及びリンク等を選択する際に使用される。
【００１６】
図３４を参照して光学式マウスについて説明する。
【００１７】
光学式マウスは、ハウジング１、検出部５、信号処理部９及びインタフェース部を備える。
【００１８】
ハウジング１は、ユーザが手で把持しやすい大きさ及び形状である。また、ハウジング１は、その内部に少なくとも検出部５を備える。ハウジング１は、平面７と対面する略平面形状の底面部を備える。
【００１９】
なお、ハウジング１は、底面部の前方及び後方にすべり板４を備える。すべり板４は、光学式マウスが平面７に対して滑りやすくなるように低摩擦係数の材料からなる。
【００２０】
検出部５は、発光部５ａ及び受光部５ｂを備える。
【００２１】
発光部５ａはＬＥＤ等の発光素子を備え、平面７に入射する光５ｃを発生する。光５ｃは、ハウジング１の底面部に設けられた図示せぬ孔から平面７に斜めに入射する。そして、光５ｃは、平面７上で乱反射して反射光５ｄとなる。
【００２２】
受光部５ｂは、反射光５ｄが入射する図示せぬ受光孔を備える。適当な強さの反射光５ｄが受光孔に入射した場合には、受光部５ｂは反射光５ｄを読み取る。即ち、受光部５ｂがマウスの移動量及び移動方向を検出する。一方、適当な強さより弱い反射光５ｄが受光孔に入射した場合及び反射光５ｄが受光孔に入射しない場合には、受光部５ｂは反射光５ｄを読み取らない。即ち、受光部５ｂがマウスの移動量及び移動方向を検出しない。
【００２３】
信号処理部９は、検出部５が検出した情報に基づいてマウスの現在位置、移動量、移動方向及び速度等を座標指示入力情報としてインタフェース部に送信する。
【００２４】
インタフェース部は、マウスとホスト機器を接続する。インタフェース部は、有線を用いても、無線を用いてもよい。
【００２５】
選択スイッチ８は、画面上に表示された文字及びリンク等を選択する際に使用される。
【００２６】
そして、検出部によって検出されたマウスの移動量及び移動方向等は計算されて、画面上の座標にカーソルとして表示される。
【００２７】
マウスの可動範囲から算出されるカーソルの移動量が、ホスト機器の画面上に表示される座標範囲よりも長ければ、マウスの可動範囲内で画面の全座標平面を指示することができる。
【００２８】
しかし、マウスを実際に使用する場合においては、ユーザがマウスの可動範囲を大きく確保できない場合、画面上に表示されるカーソルはマウスの位置との相対的な位置がずれていること、又はマウスの座標分解能の精度等によって、マウスの可動範囲がホスト機器の画面上に表示されるカーソルの可動範囲より狭くなってしまう場合が多い。
【００２９】
このような状況下で、ユーザがマウスの可動範囲を超えてホスト機器の画面上に表示されるカーソルを移動させる場合には、マウスの検出部をマウスの移動を検出しない状態で、マウスを移動させ、新たにマウスの可動範囲を確保する。その後、ユーザが、再度マウスを検出部がマウスの移動を検出できる状態にして、ユーザがマウスを可動範囲内で移動させて、ホスト機器の画面上に表示されるカーソルを移動させる（以下、「マウスを漕ぐ」という）。
【００３０】
なお、マウスがボール型マウス及び光学式マウスの場合において、マウスの検出部がマウスの移動を検出できない状態は、図３５及び図３６に示すように、ユーザがマウスを持ち上げて、マウスを接触面から離れさせた状態をいう。
【００３１】
マウスを漕ぐ操作は、マウスの狭い可動範囲で、ホスト機器の画面上の全範囲を移動できるようになるが、必ずユーザがマウスを持ち上げなければならないものであった。
【発明の開示】
【発明が解決しようとする課題】
【００３２】
しかし、身体障害者、腱鞘炎患者等の手又は指の自由度が低い者、特に指を曲げること又は物をつかむことが困難である者にとって、マウスを持ち上げることは困難であった。
【００３３】
マウスを漕ぐ操作は、マウスを持ち上げ、マウスを平面に接触させるので、操作性が悪かった。また、マウスが平面に接触した際に生じる衝撃がユーザの手首及び指に負担をかけていた。さらに、マウスが平面に接触した際に生じる音が、ユーザにとって煩わしかった。
【００３４】
また、指を曲げることが困難である者は、通常のマウスの選択スイッチを押すことも困難であった。
【００３５】
本発明の目的は、手及び指の自由度の低い者にとって操作性の良い座標指示入力装置を提供すること及び手首及び指に負担がかからないマウスを提供することである。
【課題を解決するための手段】
【００３６】
座標指示入力装置本体の移動を検出する検出部と、前記検出部によって検出された情報に基づいて座標指示入力信号を出力する信号処理部と、を備える座標指示入力装置において、前記座標指示入力装置本体の移動を検出する有効状態と本体の移動を検出しない無効状態とを切り換える切換手段を備えることを特徴とする座標指示入力装置。
【発明の効果】
【００３７】
本発明によれば、手及び指の自由度の低い者にとって操作性の良い座標指示入力装置を提供できる。
【発明を実施するための最良の形態】
【００３８】
（第１の実施の形態）
本発明の第１の実施の形態を図１から図３を参照して説明する。第１の実施の形態は、光学式マウスにおいて、弾性体によって検出部の有効状態と無効状態とを切り換えるものである。
【００３９】
光学式マウスは、ハウジング１、検出部５、信号処理部９及びインタフェース部を備える。
【００４０】
ハウジング１は、ユーザが手で把持しやすい大きさ及び形状である。また、ハウジング１は、その内部に少なくとも検出部５を備える。ハウジング１は、平面７と対面して、略平面形状である底面部を備える。
【００４１】
ハウジング１は、その底面部の前方（以下、マウスを手で把持したとき指先側を前方とする。）にすべり板４を備える。ハウジング１は、その底面部の後方に、荷重姿勢変更手段２を備える。荷重姿勢変更手段２は、弾性体であるコイルばね２ａ、すべり板２ｂを備える。
【００４２】
底面部とすべり板２ｂとの間にコイルばね２ａを備える。すべり板２ｂ及びすべり板４は、マウスが平面７に対して滑りやすくなるように低摩擦係数の材料からなる。なお、コイルばね２ａは、マウスを平面７に接触させた状態でマウスの後方を平面７から離れる方向に付勢する。
【００４３】
検出部５は、発光部５ａ及び受光部５ｂを備える。
【００４４】
発光部５ａはＬＥＤ等から構成され、平面７に入射する光５ｃを発生する。光５ｃは、ハウジング１の底面部に設けられた図示せぬ孔から平面７に斜めに入射する。そして、光５ｃは、平面７上で乱反射して反射光５ｄとなる。
【００４５】
受光部５ｂは、反射光５ｄが入射する図示せぬ受光孔を備え、適当な強さの反射光５ｄが受光孔に入射した場合には、受光部５ｂは反射光５ｄを読み取る。即ち、受光部５ｂがマウスの移動量及び移動方向を検出する。一方、適当な強さより弱い反射光５ｄが受光孔に入射した場合又は反射光５ｄが受光孔に入射しない場合には、受光部５ｂは反射光５ｄを読み取らない。即ち、受光部５ｂがマウスの移動量及び移動方向を検出しない。
【００４６】
なお、検出部５がマウスの移動量及び移動方向を検出するのは、ハウジング１の底面部と平面７の距離がｈ１の場合である。
【００４７】
信号処理部９は、検出部５が検出した情報に基づいてマウスの現在位置、移動量、移動方向及び速度等を座標指示入力情報としてインタフェース部に送信する。
【００４８】
インタフェース部は、マウスとホスト機器を接続する。インタフェース部は、有線を用いても、無線を用いてもよい。
【００４９】
選択スイッチ８は、画面上に表示された文字及びリンク等を選択する際に使用される。
【００５０】
図２に示すように、手３で、マウスの後方に所定の荷重を加えると、コイルばね２ａが圧縮された状態となり、底面部と平面７は略平行になって、底面部と平面７の距離がｈ１となる。従って、マウスは適当な強さの反射光５ｄが受光孔に入射する位置に位置して、検出部５はマウスの移動を検出可能な有効状態になる。
【００５１】
一方、図１に示すように、マウスにかかる荷重が所定の荷重より小さい場合には、コイルばね２ａは圧縮しきらず、マウスの後方がコイルばね２ａによって持ち上げられた状態になり、底面部と平面７の距離がｈ１以上となる。従って、検出部５は、適当な強さより弱い反射光５ｄが受光孔に入射した状態及び反射光５ｄが受光孔に入射しない状態になる。即ち、検出部５がマウスの移動を検出不可能な無効状態になる。
【００５２】
なお、コイルばね２ａが圧縮された状態となって、検出部５が無効状態から有効状態に変化する所定の荷重は、手の自重程度の荷重にすればよい。
【００５３】
このように、ユーザがマウスに手の自重程度の荷重をかけると、コイルばね２ａが圧縮されて検出部５が有効状態となるので、検出部５はマウスの移動を検出する。一方、マウスにかかる荷重が手の自重よりも小さい荷重である場合には、コイルばね２ａが圧縮しきらず検出部５が無効状態となるので、検出部はマウスの移動を検出しない。
【００５４】
前述したように、第１の実施の形態では、ユーザがマウスに手の自重をかけるか否かによって、検出部５は有効状態と無効状態とを切り換えることができる。従って、ユーザはマウスを持ち上げてマウスを漕ぐ必要がなくなるので、手及び指の自由度の低い者にとって操作性の良いマウスを提供できる。また、手首及び指に負担がかからないマウスを提供できる。
【００５５】
なお、選択スイッチ８をタッチセンサ、静電式スイッチ又は反射式光学スイッチを用いるとよい。このようにすると、ユーザが指でスイッチを押し込む必要がなくなるので、ユーザの負担が軽減する。また指の自由度の低い者にとっても操作性が向上する。
【００５６】
なお、コイルばね２ａに代えて板ばね等の他の弾性体を用いることもできる。また、本実施の形態では、ハウジング１の底面部の後方側をコイルばね２ａによって、平面７と離れる方向に付勢したが、ハウジング１の底面部の前方又は側方を弾性体によって、平面７と離れる方向に付勢してもよい。
【００５７】
（第２の実施の形態）
本発明の第２の実施の形態を図４及び図５を参照して説明する。第２の実施の形態は、ボール型マウスにおいて、弾性体によって検出部の有効状態と無効状態とを切り換えるものである。
【００５８】
ボール型マウスは、ハウジング１、検出部、信号処理部９及びインタフェース部を備える。
【００５９】
ハウジング１は、ユーザが手で把持しやすい大きさ及び形状である。また、ハウジング１は、その内部に、少なくとも検出部及び信号処理部９を備える。ハウジング１は、平面７と対面し、略平面形状である底面部を備える。
【００６０】
ハウジング１は、その底面部の後方にすべり板４を備える。ハウジング１は、その底面部の前方に、荷重姿勢変更手段２を備える。荷重姿勢変更手段２は、弾性体である板ばね２ａ、すべり板２ｂを備える。
【００６１】
底面部とすべり板２ｂとの間にコイルばね２ａを備える。すべり板２ｂ及びすべり板４は、マウスが平面７に対して滑りやすくなるように低摩擦係数の材料からなる。なお、板ばね２ａは、マウスを平面７に接触させた状態でマウスの前方を平面７から離れる方向に付勢する。
【００６２】
検出部は、ボール１０及び動きセンサ１１を備える。
【００６３】
ボール１０の一部は、ハウジング１の底面部の中央部付近に設けられたボール孔から突出する。ユーザがボール型マウスを平面７と接触させた状態でボール型マウスを移動させると、ボール１０は平面７との摩擦によって回転する。
【００６４】
動きセンサ１１は、ボール１０の回転によってマウスの移動を検出する。動きセンサ１１は、ボール１０の回転を直交する２方向に分けて検出する。このため、動きセンサ１１は、ボール１０と接触してボール１０と連動して回転する図示せぬローラを備える。ローラは直交する２方向に配設される。動きセンサ１１は各ローラの回転を検出可能なロータリーエンコーダを備える。
【００６５】
従って、ボール１０と連動して回転するローラの回転をロータリーエンコーダが検出して、ボール型マウスの移動を検出する。
【００６６】
信号処理部９は、検出部が検出した情報に基づいてマウスの現在位置、移動量、移動方向及び速度等を座標指示入力情報としてインタフェース部に送信する。
【００６７】
インタフェース部は、マウスとホスト機器とを接続する。インタフェース部は、有線を用いても、無線を用いてもよい。
【００６８】
選択スイッチは、画面上に表示された文字及びリンク等を選択する際に使用される。
【００６９】
図４に示すように、手３で、マウスの前方に所定の荷重を加えると、板ばね２ａが圧縮された状態になり、ボール１０は平面７と接触する。従って、ユーザがマウスを移動させるとボールは回転するので、動きセンサ１１はマウスの移動を検出する。即ち、検出部が有効状態になる。
【００７０】
一方、図３に示すように、マウスにかかる荷重が所定の荷重より小さい場合には、板ばね２ａは圧縮しきらずに、マウスの前方が板ばね２ａの付勢力によって持ち上げられた状態になる。従って、ボール１０は平面７と接触しないので、ユーザがマウスを移動させてもボールは回転しない。動きセンサ１１はマウスの移動を検出しない。即ち、検出部が無効状態になる。
【００７１】
なお、板ばね２ａが圧縮された状態となって、検出部が無効状態から有効状態に変更する所定の荷重は、手の自重程度の荷重にすればよい。
【００７２】
このように、ユーザがマウスに手の自重程度の荷重をかけると、板ばね２ａが圧縮されて検出部が有効状態となるので、検出部はマウスの移動を検出する。一方、マウスにかかる荷重が手の自重よりも小さい荷重である場合には、板ばね２ａが圧縮しきらず検出部が無効状態となるので、マウスの移動を検出しない。
【００７３】
第２の実施の形態では、ユーザがマウスに手の自重をかけるか否かによって、検出部は有効状態と無効状態とを切り換えることができる。従って、ユーザはマウスを持ち上げてマウスを漕ぐ必要がなくなるので、手及び指の自由度の低い者にとって操作性の良いマウスを提供できる。また、手首及び指に負担がかからないマウスを提供できる。
【００７４】
なお、選択スイッチをハウジング１の指で操作可能な位置に設けてもよい。選択スイッチにはタッチセンサ、静電式スイッチ又は反射式光学スイッチを用いる。このため、ユーザが指でスイッチを押し込む必要がなくなるので、ユーザの負担が軽減し、また指の自由度の低い者にとっても操作性が向上する。
【００７５】
なお、板ばね２ａをコイルばね等の他の弾性体に代用可能である。また、本実施の形態では、ハウジング１の底面部の前方を板ばね２ａによって、平面７と離れる方向に付勢するようにしたが、ハウジング１の底面部の後方又は側方を弾性体によって、平面７と離れる方向に付勢してもよい。
【００７６】
（第３の実施の形態）
本発明の第３の実施の形態を図６及び図７を参照して説明する。第３の実施の形態は、足用マウスにおいて弾性体によって検出部の有効状態と無効状態とを切り換えるものである。
【００７７】
第３の実施の形態は、ユーザの手によって操作する第２の実施の形態をユーザの足１２よって操作可能としたものである。第３の実施の形態の構造は、ほぼ第２の実施の形態と同一である。第２実施の形態と同じ構成は同じ符号を付与し、説明を省略する。
【００７８】
ユーザが足１３によって操作するので、ハウジング１は、ユーザが足１２で操作しやすい大きさ及び形状である。
【００７９】
図７のように、足１２のつま先でボール型マウスの前方に所定の荷重を加えると、板ばね２ａが圧縮された状態になり、ボール１０は平面７と接触するので、ユーザがボール型マウスを移動させるとボールは回転する。従って、動きセンサ１１はボール型マウスの移動を検出する。即ち、検出部が有効状態になる。
【００８０】
一方、ボール型マウスの前方に加えられる荷重が所定の荷重より小さい場合には、図６のように、板ばね２ａが圧縮しきらずに、ボール型マウスは前方が板ばね２ａの付勢力によって持ち上げられた状態になる。従って、ボール１０は平面７と接触しない。ユーザがボール型マウスを移動させてもボールは回転しないので、動きセンサ１１はボール型マウスの移動を検出しない。即ち、検出部が無効状態になる。
【００８１】
なお、板ばね２ａが圧縮された状態となって、検出部が無効状態から有効状態に変更する所定の荷重は、足１２の自重程度の荷重にすればよい。
【００８２】
このように、ボール型マウスに足１２の自重程度の荷重をかけると板ばね２ａが圧縮されて、検出部が有効状態となるので、ボール型マウスの移動を検出する。一方、ボール型マウスにかかる荷重が足１２の自重程度の荷重より小さい場合には、板ばね２ａが圧縮しきらず、検出部が無効状態となるので、ボール型マウスの移動を検出しない。
【００８３】
第３の実施の形態では、ユーザがボール型マウスに足１２の自重をかけるか否かによって、検出部は有効状態と無効状態とを切り換えることができる。従来の足用マウスでは、足１２はマウスを把持して持ち上げることができないので、マウスを漕ぐことはできなかったが、ボール型マウスに足１２の自重をかけるか否かによって、検出部が有効状態か無効状態か切り換えることができる。よって、足用マウスでも、マウスの可動範囲を超えてホスト機器の画面上を移動させることができる。
【００８４】
なお、板ばね２ａに代えてコイルばね等の他の弾性体を用いることもできる。また、本実施の形態では、ハウジング１の底面部の前方側を板ばね２ａによって、平面７と離れる方向に付勢するようにしたが、ハウジング１の底面部の後方側又は側方を弾性体によって、平面７と離れる方向に付勢してもよい。
【００８５】
（第４の実施の形態）
本発明の第４の実施の形態を図８から図１０を参照して説明する。第４の実施の形態は、光学式マウスにおいて切換スイッチによって検出部の電源の供給を遮断を切り換えるものである。第１実施の形態と同じ構成は同じ符号を付与し、説明を省略する。
【００８６】
ハウジング１は、その前方であって指で操作可能な範囲に切換スイッチ１３を備える。切換スイッチ１３は、検出部５の有効状態と無効状態とを切り換える。切換スイッチ１３は、押圧力が小さくとも作動する機械式スイッチ、タッチセンサ、静電センサ又は検出距離の短い反射式光学センサ等の触れる程度で反応するスイッチ又はセンサを備える。
【００８７】
図１０に示すように、切換スイッチ１３は検出部５と接続される。切換スイッチ１３がオンの状態であると、検出部５と電源は接続される。従って、検出部５には電源が供給され、検出部５はマウスの移動を検出可能な有効状態である。一方、切換スイッチ１３がオフの状態であると、検出部５と電源は接続されない。即ち、検出部５は電源の供給が遮断される。従って、検出部５の発光部５ａは発光せず、検出部５はマウスの移動を検出できない無効状態である。
【００８８】
図８に示すように、ユーザが切換スイッチ１３に触れていない場合には、切換スイッチ１３はオフであり、検出部５への電源の供給が遮断される。従って、発光部５ａは発光しないので、ユーザがマウスを移動させても、検出部５はマウスの移動を検出することができない。即ち、検出部５は、マウスの移動を検出しない無効状態である。
【００８９】
また、図９に示すように、ユーザが切換スイッチ１３に触れている場合には、切換スイッチ１３はオンであり、検出部５へ電源が供給される。従って、発光部５ａは光５ｃを発生する。光５ｃは、平面７上で乱反射して反射光５ｄとなり、受光部５ｂが反射光５ｄを読み取ることによって、マウスの移動を検出する。即ち、検出部５は、マウスの移動を検出する有効状態である。
【００９０】
第４の実施の形態では、切換スイッチ１３によって、検出部５を有効状態と無効状態とを切り換えることができる。従って、ユーザはマウスを持ち上げてマウスを漕ぐ必要がなくなるので、手及び指の自由度の低い者にとって操作性の良いマウスを提供できる。また、手首及び指に負担がかからないマウスを提供できる。
【００９１】
また、検出部５が無効状態の場合には、発光部５ａへの電源の供給が遮断されるので、無駄な電力を省くことができる。
【００９２】
ここで、切換スイッチ１３によってマウス装置への電源の供給を遮断せずに、検出部５の電源の供給を遮断したのは、マウス装置への電源の供給を遮断すると、信号制御部９の電源の接続までも遮断してしまう。信号制御部９に電源が供給されなくなると、ホスト機器がマウスを認識しなくなるからである。
【００９３】
また、切換スイッチ１３によって、検出部５の受光部５ｂの電源の供給を遮断してもよい。
【００９４】
なお、ボール型マウスにおいても、ボール１０の回転を検出することによって、マウスの移動を検出する動きセンサ１１への電源の供給を遮断するか否かを切換スイッチ１３によって切り換えることができる。
【００９５】
（第５の実施の形態）
本発明の第５の実施の形態を図１１から図１４を参照して説明する。第５の実施の形態は、光学式マウスにおいて、切換スイッチ１３によって検出部５と信号処理部９との信号接続を切り換えるようにしたものである。第５の実施の形態は切換スイッチ１３の構成以外、第４の実施の形態と同一である。第４の実施の形態と同じ構成は同じ符号を付与し、説明を省略する。
【００９６】
ハウジング１は、その前方の指で操作可能な位置に切換スイッチ１３を備える。切換スイッチ１３は、検出部５の有効状態と無効状態とを切り換える。切換スイッチ１３は、押圧力が小さくとも作動する機械式スイッチ、タッチセンサ、静電センサ又は検出距離の短い反射式光学センサ等の触れる程度で反応するスイッチ又はセンサを備える。
【００９７】
図１３及び図１４に示すように、切換スイッチ１３は、検出部５と信号処理部９の信号接続のオン・オフを切り換える。図１３に示すように、切換スイッチ１３がオフの状態であると、検出部５と信号処理部９との接続を遮断する。一方、図１４に示すように、切換スイッチ１３がオンの状態であると、検出部５と信号処理部９が切換スイッチ１３によって接続される。
【００９８】
図１１に示すように、ユーザが切換スイッチ１３に触れていない場合には、切換スイッチ１３はオフの状態である。従って、図１３に示すように、切換スイッチ１３は検出部５と信号処理部９の接続を遮断する。従って、検出部５がマウスの移動を検出しても、検出した信号が信号処理部９に届かないので、検出部５がマウスの移動を検出できない。即ち、検出部５は無効状態である。また、図１２に示すように、ユーザが切換スイッチ１３に触れている場合には、切換スイッチ１３はオンの状態である。従って、切換スイッチ１３は検出部５と信号処理部９を接続する。従って、検出した信号が信号処理部９に届くので、検出部５がマウスの移動を検出する。即ち、検出部５が有効状態である。
【００９９】
第５の実施の形態では、切換スイッチ１３によって、検出部５は有効状態と無効状態とを切り換えることができる。従って、ユーザはマウスを持ち上げてマウスを漕ぐ必要がなくなるので、手及び指の自由度の低い者にとって操作性の良いマウスを提供できる。また、手首及び指に負担がかからないマウスを提供できる。
【０１００】
また、検出部５が無効状態の場合でも、発光部５ａは光５ｃを発生するので、光５ｃの光が安定するまでに必要な時間、ユーザは、操作を待つ必要がない。
【０１０１】
また、切換スイッチ１３は、検出部５と信号処理部９の間を接続するか否かによって、検出部５の有効状態と無効状態とを切り換えるので、電気回路の構造を簡単にすることができる。
【０１０２】
なお、ボール型マウスにおいても、ボール１０の回転を検出し、マウスの移動を検出する動きセンサ１１から信号処理部９への信号の接続を、切換スイッチ１３によって切り換えることができる。
【０１０３】
（第６の実施の形態）
本発明の第６の実施の形態を図１５及び図１６を参照して説明する。なお、第６の実施の形態は、光学式マウスにおいて切換スイッチによって信号処理部９が停止信号を出力するようにしたものである。なお、第１の実施の形態と同じ構成は同じ符号を付与し、説明を省略する。
【０１０４】
切換スイッチ１３は、マウス装置とは別に設けられている。切換スイッチ１３は、足１２で操作可能である。切換スイッチ１３は、足置板１３ａ、基板１３ｂ、接触式スイッチ１３ｃ及びコイルばね１３ｄを備える。
【０１０５】
足置板１３ａは、足１２を置く板状の部材である。基板１３ｂは、接触式スイッチ１３ｃを備える。なお、足置板１３ａと基板１３ｂの間にはコイルばね１３ｄが備えられ、コイルばね１３ｄは、足置板１３ａが基板１３ｂから離れる方向に付勢する。
【０１０６】
図１６に示すように、切換スイッチ１３は信号処理部９に接続される。図１５に示すように、切換スイッチ１３がオフの状態であると、信号処理部９は、検出部５からの検出信号ではなく、停止信号をインタフェース部に出力する。従って、検出部５がマウスの移動を検出しても、検出信号が信号処理部９によってないものとされる、つまり、検出部５からの検出信号が無効化されるので、検出部５はマウスの移動を検出できない。即ち、検出部５は無効状態である。
【０１０７】
なお、切換スイッチ１３がオフの状態である場合に、信号処理部９は、選択スイッチ８からの入力信号も無効化する。従って、切換スイッチ１３がオフの状態で、選択スイッチ８を操作しても、選択等の操作をすることができない。
【０１０８】
一方、足置板１３ａがユーザの足１２によってコイルばね１３ｄの付勢力に抗して踏み込まれると、接触式スイッチ１３ｃが足置板１３ａの一部と接触して切換スイッチ１３はオンの状態になる。切換スイッチ１９がオンの状態であると、信号処理部９は検出部５が検出した信号を通常通り処理する。従って、検出部５はマウスの移動を検出する。即ち、検出部５は有効状態である。
【０１０９】
第６の実施の形態では、切換スイッチ１３によって、検出部５は有効状態と無効状態とを切り換えることができる。従って、ユーザはマウスを持ち上げてマウスを漕ぐ必要がなくなるので、手及び指の自由度の低い者にとって操作性の良いマウスを提供できる。また、手首及び指に負担がかからないマウスを提供できる。
【０１１０】
また、切換スイッチ１３をユーザの足１２によって操作するので、ユーザの手首への負担を軽減することができる。
【０１１１】
また、本実施の形態は、ボール型マウスに足で操作可能な切換スイッチ１３を設けることによって、信号処理部９に同様の構成をすることによって、ボール型マウスに適用することもできる。
【０１１２】
（第７の実施の形態）
本発明の第７の実施の形態を図１７から図１９を参照して説明する。なお、第７の実施の形態は、適当な強さの反射光５ｄが受光孔に入射する位置にマウスが位置する場合に、切換スイッチ１３によって検出部５に電源が供給され、検出部５が有効状態になるようにしたものである。なお、第１の実施の形態と同じ構成は同じ符号を付与し、説明を省略する。
【０１１３】
ハウジング１は、底面部の後方に荷重姿勢変更手段２を備える。荷重姿勢変更手段２は、弾性体であるコイルばね２ａ、すべり板２ｂを備える。
【０１１４】
コイルばね２ａは、底面部とすべり板２ｂの間に備えられる。すべり板４は、マウスが平面７に対して滑りやすくなるように低摩擦係数の材料からなる。なお、ハウジング１は、底面部の前方にも、低摩擦係数の材料からなるすべり板４を備える。なお、コイルばね２ａは、マウスを平面７に接触させた状態でマウスを平面７から離れる方向に付勢する。
【０１１５】
また、ハウジング１は、その後方に切換スイッチ１３を備える。切換スイッチ１３は、押釦スイッチを備える。
【０１１６】
図１８のように、手３で、マウスの後方に所定の荷重を加えると、コイルばね２ａが圧縮された状態となり、底面部と平面７は略平行になって、底面部と平面７の距離がｈ１となり、適当な強さの反射光５ｄが受光孔に入射可能な位置にマウスが位置する。また、コイルばね２ａが圧縮されると、すべり板２ｂによって押釦スイッチが押圧されて切換スイッチ１３はオンの状態になる。切換スイッチ１３がオン状態になることによって、検出部５は電源に接続され、検出部５に電源が供給される。従って、適当な強さの反射光５ｄが受光孔に入射して、検出部５はマウスの移動を検出可能な有効状態になる。
【０１１７】
一方、図１７に示すように、コイルばね２ａにかかる荷重が所定の荷重よりも小さい場合には、コイルばね２ａは圧縮しきらず、マウスの後方がコイルばね２ａによって持ち上げられた状態になる。この状態では、切換スイッチ１３はオフの状態であり、検出部５には電源が接続されず、検出部５への電源の供給が遮断される。従って、発光部５ａは発光しないので、ユーザがマウスを移動させても、検出部５はマウスの移動を検出することができない。即ち、検出部５は、無効状態である。
【０１１８】
なお、コイルばね２ａが圧縮された状態となって、検出部５が無効状態から有効状態に切り替わる所定の荷重は、手の自重程度に設定すればよい。
【０１１９】
第７の実施の形態では、切換スイッチ１３のオン・オフ、即ちマウスにユーザの手の自重を加えるか否かによって、検出部５は有効状態と無効状態とを切り換えることができる。従って、ユーザはマウスを持ち上げてマウスを漕ぐ必要がなくなるので、手及び指の自由度の低い者にとって操作性の良いマウスを提供できる。また、手首及び指に負担がかからないマウスを提供できる。
【０１２０】
また、検出部５が無効状態の場合には、検出部５に電源が供給されないので、無駄な電力を省くことができる。
【０１２１】
また、マウスは光５ｃが平面に反射して受光部に入射する位置に位置する場合にのみ、切換スイッチ１３がオンの状態になるので、選択スイッチ８の操作に伴ってマウスが移動して、違う箇所を選択する誤動作を確実に防止することができる。
【０１２２】
また、切換スイッチ１３によって、検出部５の受光部５ｂへの電源の供給を遮断するようにしてもよい。
【０１２３】
なお、ボール型マウスにおいても、適当な強さの反射光５ｄが受光孔に入射する位置にマウスが位置する場合に、切換スイッチ１３によって、ボール１０の回転を検出し、マウスの移動を検出する動きセンサ１１への電源を供給することで適用できる。
【０１２４】
なお、コイルばね２ａに代えて板ばね等の他の弾性体を用いることができる。また、本実施の形態では、ハウジング１の底面部の後方をコイルばね２ａによって、平面７と離れる方向に付勢するようにしたが、ハウジング１の底面部の前方、又は側方を弾性体によって、平面７と離れる方向に付勢してもよい。
【０１２５】
（第８の実施の形態）
本発明の第８の実施の形態を図２０から図２３を参照して説明する。なお、第８の実施の形態は、光学式マウスにおいて、手の自重程度の第一の荷重がマウスに加えられると、弾性体によって、適当な強さの反射光５ｄが受光孔に入射する位置にマウスが位置し、切換スイッチ１３によって検出部５に電源が供給され、検出部５が有効状態になる。さらに、第一の荷重より大きな第二の荷重がマウスに加えられると、弾性体が更に圧縮して、選択スイッチが操作されるものである。なお、第１の実施の形態と同じ構成は同じ符号を付与し、説明を省略する。
【０１２６】
ハウジング１は、その前方にはハウジング１の一部を切り欠いた切欠部を備える。切欠部は２段スイッチ１５を備える。すべり板１７及びすべり板４は低摩擦係数の材料からなる。すべり板１７は、コイルばね１６を介して２段スイッチ１５の平面７側の面に設けられる。なお、コイルばね２ａはマウスを平面７に接触させた状態でマウスを平面７から離れる方向に付勢する。
【０１２７】
２段スイッチ１５は、切換スイッチ１３と選択スイッチ８を兼用する。切換スイッチ１３は、検出部５を有効状態と無効状態とに切り換える。また、選択スイッチ８は画面上に表示された文字及びリンク等を選択する入力をする際に使用される。
【０１２８】
具体的には、２段スイッチ１５は、２段スイッチ１５に加わる荷重によって切り替わる２つの接点を備える。第一の接点は切換スイッチ１３である。第一の接点は所定の第一の荷重が加えられるとオンとなる。なお、図２３に示すように、第一の接点は、検出部５と接続される。第一の接点がオンの状態であると、検出部５に電源が接続されて、検出部５に電源が供給される。第一の接点がオフの状態であると、検出部５は電源に接続されず、検出部５への電源の供給が遮断される。
【０１２９】
第二の接点は選択スイッチ８である。第二の接点は、第一の接点が作動する第一の荷重より大きい所定の第二の荷重が加えられるとオンとなる。なお、図２３に示すように、第二の接点は信号処理部９に接続されている。第二の接点がオンの状態であると、信号処理部９は選択スイッチ８の操作を検出する。第二の接点がオフの状態であると、信号処理部９は選択スイッチ８の操作を検出しない。
【０１３０】
図２０に示すように、マウスにかかる荷重が第一の荷重より小さい荷重である場合には、コイルばね１６は圧縮しきらず、マウスの前方がコイルばね２ａによって持ち上げられた状態になる。この状態では、２段スイッチ１５の切換スイッチ１３はオフの状態であり、検出部５への電源の供給が遮断される。従って、発光部５ａは発光しないので、ユーザがマウスを移動させても、検出部５はマウスの移動を検出することができない。即ち、検出部５は、無効状態である。また、２段スイッチ１５の選択スイッチ８はオフの状態であり、選択スイッチ８の操作は検出されない。
【０１３１】
図２１に示すように、マウスにかかる荷重が第一の荷重より大きく第二の荷重より小さい場合には、コイルばね１６が圧縮されて、ハウジング１の底面部が平面７と略平行になり、底面部と平面７の距離がｈ１となり、適当な強さの反射光５ｄが受光孔に入射する位置にマウスが位置する。また、２段スイッチ１５の切換スイッチ１３はオンの状態になる。検出部５は電源に接続され、検出部５に電源が供給される。従って、適当な強さの反射光５ｄが受光孔に入射して、検出部５はマウスの移動を検出する有効状態になる、また、２段スイッチ１５の選択スイッチ８はオフの状態であり、選択スイッチ８の操作は検出されない。
【０１３２】
図２２に示すように、マウスにかかる荷重が第二の荷重よりも大きい場合には、コイルばね１６が更に圧縮して、マウスが前方に傾斜する。即ち、ハウジング１の底面部が平面７に対してマウスの前方に傾斜する。また、この状態では、２段スイッチ１５の切換スイッチ１３はオフの状態であり、検出部５への電源の供給が遮断される。従って、発光部５ａは発光しないので、ユーザがマウスを移動させても、検出部５はマウスの移動を検出することができない。即ち、検出部５は、無効状態である。また、第二の接点はオンの状態になるので、信号処理部９は選択スイッチ８が操作されたと認識する。
【０１３３】
なお、２段スイッチ１５の切換スイッチ１３がオンになる第一の荷重を手の自重程度に設定すればよい。また、２段スイッチ１５の選択スイッチ８がオンになる第二の荷重を手の自重よりも大きな所定の荷重に設定すればよい。
【０１３４】
第８の実施の形態では、２段スイッチ１５の切換スイッチ１３のオン・オフ、即ちマウスにユーザの手の自重を加えるか否かによって、検出部５の有効状態と無効状態とを切り換えることができる。従って、ユーザがマウスを持ち上げてマウスを漕ぐ必要がなくなるので、手及び指の自由度の低い者にとって操作性の良いマウスを提供できる。また、手首及び指に負担がかからないマウスを提供できる。
【０１３５】
また、検出部５が無効状態の場合には、検出部５に電源が供給されないので、無駄な電力を省くことができる。
【０１３６】
また、切換スイッチ１３によって、検出部５の受光部５ｂの電源の供給を遮断してもよい。
【０１３７】
更に、２段スイッチ１５の第二の接点のスイッチのオン・オフ、即ちマウスにユーザの手の自重より大きな所定の荷重を加えた場合に、選択スイッチを入力するので、手及び指の自由度の低い者にとって操作性の良いマウスを提供できる。また、手首及び指に負担がかからないマウスを提供できる。
【０１３８】
また、選択スイッチの入力時、即ち第二の接点がオンの状態の場合には、検出部５が無効状態であるので、選択スイッチ８の操作に伴ってマウスが移動しても、違う箇所を選択するという誤動作を防止することができる。
【０１３９】
（第９の実施の形態）
本発明の第９の実施の形態を図２４から図２６を参照して説明する。なお、第９の実施の形態は、ボール型マウスにおいて、弾性体によって検出部の有効状態と無効状態とを切り替え、マウスにかかる荷重によって選択スイッチ８を入力することができるものである。なお、第２の実施の形態と同じ構成は同じ符号を付与し、説明を省略する。
【０１４０】
ハウジング１は、その底面部の前方に選択スイッチ１８ｃを備える。また、ハウジング１は、その底面部の前方に板ばね１８ｂを介してすべり板１８ａを備える。なお、板ばね１８ｂはマウスを平面７に接触させた状態でマウスを平面７から離れる方向に付勢する。
【０１４１】
選択スイッチ１８ｃは、押釦スイッチを備える。選択スイッチ１８ｃは、画面上に表示された文字及びリンク等を選択する際に使用される。なお、板ばね１８ｂは、手３の自重程度の荷重でボール１０が平面７と接触する程度まで圧縮される。なお、選択スイッチ１８ｃは手の自重よりも大きな所定の荷重が加えられると、板ばね１８ｂが圧縮されて、すべり板１８ａが選択スイッチ１８ｃの押釦を押圧してオンとなる。なお、選択スイッチ１８ｃは信号処理部９に接続される。
【０１４２】
図２４に示すように、マウスにかかる荷重が手３の自重より小さい荷重であれば、板ばね１８ｂは圧縮されずに、ボール１０が平面７に接触しないので、検出部はマウスの移動を検出しない。即ち、検出部は無効状態である。また、選択スイッチ１８ｃの押釦とすべり板１８ａとは離れているので、選択スイッチ１８ｃはオフの状態であり、選択スイッチ１８ｃの操作は検出されない。
【０１４３】
図２５に示すように、マウスに手３の自重程度の荷重が加えると、板ばね１８ｂは圧縮され、ボール１０が平面７に接触する。従って、マウスの移動によってボール１０が回転可能になって、検出部はマウスの移動を検出することができる。即ち検出部は有効状態である。また、選択スイッチ１８ｃの押釦とすべり板１８ａは離れているので、選択スイッチ１８ｃはオフの状態であり、選択スイッチ１８ｃの操作は検出されない。
【０１４４】
図２６に示すように、マウスに手３の自重より大きい所定の荷重が加えられると、板ばね２ａは更に圧縮される。そしてハウジング１の底面部、即ちマウスが前方側に傾斜した状態になり、ボール１０が平面７に接触する。従って、マウスの移動によってボール１０が回転可能になって、検出部はマウスの移動を検出することができる。即ち検出部は有効状態である。また、選択スイッチ１８ｃの押釦はすべり板１８ａによって押圧されるので、選択スイッチ１８ｃはオンの状態であり、選択スイッチ１８ｃの操作は検出される。
【０１４５】
第９の実施の形態では、マウスにユーザの手の自重を加えるか否かによって、検出部は有効状態と無効状態とを切り換えることができる。従って、ユーザはマウスを持ち上げてマウスを漕ぐ必要がなくなるので、手及び指の自由度の低い者にとって操作性の良いマウスを提供できる。また、手首及び指に負担がかからないマウスを提供できる。
【０１４６】
マウスにユーザの手の自重より大きな所定の荷重を加えた場合に、選択スイッチ１８ｃを入力するので、手及び指の自由度の低い者にとって操作性の良いマウスを提供できる。また、手首及び指に負担がかからないマウスを提供できる。
【０１４７】
（第１０の実施の形態）
本発明の第１０の実施の形態を図２７から図２９を参照して説明する。なお、第１０の実施の形態は、ボール型マウスにおいて、マウスにかかる荷重によって検出部を有効状態にし、選択スイッチ１９を入力できるようにしたものである。なお、第２の実施の形態と同じ構成は同じ符号を付与し、説明を省略する。
【０１４８】
ハウジング１は、その底面部の前方及び後方に板ばね２０ｂを備える。ハウジング１はその底面部の前方及び後方に板ばね２０ｂを介してすべり板２０ａを備える。なお、板ばね２０ｂは、マウスを平面７に接触させた状態で、マウスを平面７から離れる方向に付勢する。
【０１４９】
ハウジング１は、ボール１０の一部をハウジング１の底面部から突出させた状態でボールを格納可能なボール格納部を備える。ボール格納部は、選択スイッチ１９を備える。選択スイッチ１９は、押釦スイッチを備える。選択スイッチ１９は、画面上に表示された文字及びリンク等を選択する際に使用されるものである。なお、選択スイッチ１９の押釦がボール１０によって押圧されることによって、選択スイッチ１９はオンの状態になる。選択スイッチ１９のボール１０と接触する接触部は、低摩擦係数の材料からなる。なお、選択スイッチ１９は信号処理部９に接続される。
【０１５０】
図２７に示すように、マウスにかかる荷重が手３の自重よりも小さい荷重である場合には、板ばね２０ｂは圧縮されずに、ボール１０が平面７に接触しないので、検出部はマウスの移動を検出しない。即ち、検出部は無効状態である。また、選択スイッチ１９の押釦とボール１０は離れているので、選択スイッチ１９はオフの状態であり、選択スイッチ１８ｃの操作は検出されない。
【０１５１】
図２８に示すように、マウスに手３の自重程度の荷重が加えられると、板ばね２０ｂは圧縮され、ボール１０が平面７に接触する。従って、マウスの移動によってボール１０が回転可能になって、検出部はマウスの移動を検出することができる。即ち検出部は有効状態である。また、選択スイッチ１９の押釦とボール１０は離れているので、選択スイッチ１９はオフの状態であり、選択スイッチ１８ｃの操作は検出されない。
【０１５２】
図２９に示すように、マウスに手３の自重より大きい所定の荷重が加えられた場合には、板ばね２０ｂは更に圧縮される。ボール１０が平面７に接触する。従って、マウスの移動によってボール１０が回転可能になって、検出部はマウスの移動を検出することができる。即ち検出部は有効状態である。また、選択スイッチ１９はボール１０によって押圧されるので、選択スイッチ１９はオンの状態であり、選択スイッチ１８ｃの操作は検出される。
【０１５３】
さらに、選択スイッチ１９がオンの状態、即ち選択スイッチ１９にボール１０が接触している状態でも、選択スイッチ１９のボール１０との接触部は低摩擦材料からなるので、ボール１０は平面７との摩擦により回転可能である。従って、選択スイッチ１９の操作時においても、検出部が有効状態であるので、いわゆるクリック・アンド・ドラッグの操作できる。
【０１５４】
第１０の実施の形態では、マウスにユーザの手の自重を加えるか否かによって、検出部は有効状態と無効状態とを切り換えることができる。従って、ユーザはマウスを持ち上げてマウスを漕ぐ必要がなくなるので、手及び指の自由度の低い者にとって操作性の良いマウスを提供できる。また、手首及び指に負担がかからないマウスを提供できる。
【０１５５】
マウスにユーザの手の自重より大きな所定の荷重を加えた場合に、選択スイッチ１９を入力するので、手及び指の自由度の低い者にとって操作性の良いマウスを提供できる。また、手首及び指に負担がかからないマウスを提供できる。
【０１５６】
（第１１の実施の形態）
本発明の第１１の実施の形態を図３０から図３２を参照して説明する。なお、第１０の実施の形態は、光学式マウスにおいて、マウスにかかる荷重によって検出部を有効状態にし、選択スイッチ１９を操作できるようにしたものである。なお、第１の実施の形態と同じ構成は同じ符号を付与し、説明を省略する。
【０１５７】
ハウジング１は、その底面部の前方に切換スイッチ１３を備える。切換スイッチ１３は検出部５を有効状態と無効状態とに切り換える。ハウジング１は、その底面部の前方に、すべり板４とコイルばね４ａを備える。なお、すべり板４は、コイルばね４ａを介して切換スイッチ１３に備えられる。なお、コイルばね４ａは、マウスを平面７に接触させた状態で、マウスを平面７から離れる方向に付勢する。
【０１５８】
切換スイッチ１３は押釦スイッチを備える。切換スイッチ１３は、所定の第一の荷重が加えられると、コイルばね４ａが圧縮されてすべり部材４が切換スイッチ１３の押釦を押圧し、切換スイッチ１３はオン状態になる。切換スイッチ１３がオンの状態であると、検出部５は電源に接続される。切換スイッチ１３がオフの状態であると、検出部５は電源に接続されない。
【０１５９】
一方、ハウジング１は、その底面部の対向する面である上面部の前方には、選択スイッチ２１を備える。選択スイッチ２１は、画面上に表示された文字及びリンク等を選択する際に使用される。ハウジング１は、その上面部の後端に、ユーザの手３を載せる手載せ台２２を備える。なお、手載せ台２２は、ハウジング１の上面部に回動可能に備えられる。手載せ台２２と選択スイッチ２１の間にはコイルばね２２ａを備える。コイルばね２２ａは、手載せ台２２をハウジング１の上面部から離れる方向に付勢する。
【０１６０】
選択スイッチ２１は押釦スイッチを備える。選択スイッチ２１は、第一の荷重より大きな第二の荷重が加えられると、コイルばね２２ａが圧縮されて、手載せ台２２が選択スイッチ２１の押釦を押圧し、選択スイッチ２１はオン状態になる。選択スイッチ２１がオンの状態であると、信号処理部９に選択スイッチの入力信号が送信される。切換スイッチ１３がオフの状態であると、信号処理部９に選択スイッチの入力信号が送信されない。
【０１６１】
図３０に示すように、マウスにかかる荷重が第一の荷重よりも小さい荷重である場合には、コイルばね４ａは圧縮されずに、マウスはコイルばね４ａによって前方が持ち上げられた状態である。また、コイルばね２２ａは圧縮されずに、手載せ台２２はコイルばね２２ａによって前方が持ち上げられた状態である。従って、切換スイッチ１３及び選択スイッチ２２はオフの状態である。即ち、切換スイッチ１３がオフの状態であるので、検出部５には電源が接続されず、検出部５には電源が供給されない。つまり、検出部５は無効状態である。また、選択スイッチ２１もオフの状態であるので、信号処理部９に選択スイッチ２１からの信号が送信されない。
【０１６２】
図３１に示すように、マウスにかかる荷重が第１の荷重よりも大きく、第２の荷重よりも小さい荷重の場合には、コイルばね２ａは圧縮され、ハウジング１の底面部が平面７と略平行になり、ハウジング１の底面部と平面７の距離がｈ１となる。また、コイルばね２ａが圧縮されて、切換スイッチ１３の押釦を押圧するので、切換スイッチ１３はオンの状態である。従って、検出部５に電源が接続されて、検出部５に電源が供給される。従って、検出部５はマウスの移動を検出する有効状態である。
【０１６３】
また、コイルばね２２ａは圧縮されずに、手載せ台２２はコイルばね２２ａによって前方が持ち上げられた状態である。従って、選択スイッチ２１はオフの状態であるので、信号処理部９に選択スイッチ２１のからの信号が送信されない。
【０１６４】
図３２に示すように、マウスに第一の荷重より大きな第二の荷重が加えられると、コイルばね２ａは圧縮された状態を保ち、ハウジング１の底面部と平面７の距離はｈ１のままである。またコイルばね２ａが圧縮された状態を保ち、切換スイッチ１３の押釦を押圧するので、切換スイッチ１３はオンの状態である。従って、検出部５に電源が接続されて、検出部５に電源が供給される。従って、検出部５はマウスの移動を検出する有効状態である。
【０１６５】
また、コイルばね２２ａは圧縮されて、選択スイッチ２１の押釦は手載せ台２２によって押圧される。従って、選択スイッチ２１はオンの状態になり、信号処理部９に選択スイッチ２１から信号が送信される。
【０１６６】
なお、第一の荷重を手の自重程度に設定すればよい。従って、第二の荷重は、手の自重よりも大きな所定の荷重である。
【０１６７】
第１１の実施の形態では、マウスに手の自重を加えるか否かによって、検出部５の有効状態と無効状態とを切り換えることができる。従って、ユーザはマウスを持ち上げてマウスを漕ぐ必要がなくなるので、手及び指の自由度の低い者にとって操作性の良いマウスを提供できる。また、手首及び指に負担がかからないマウスを提供できる。
【０１６８】
マウスに手の自重より大きな第二の荷重を加えた場合に、選択スイッチ２１を入力するので、手及び指の自由度の低い者にとって操作性の良いマウスを提供できる。また、手首及び指に負担がかからないマウスを提供できる。
【０１６９】
また、コイルばね４ａのばね定数をコイルばね２２ａのばね定数より小さくしたので、検出部５が有効状態のまま、選択スイッチ２１をオンの状態、即ち、選択スイッチ２１を入力することができるので、いわゆるクリック・アンド・ドラッグの操作が可能となる。
【図面の簡単な説明】
【０１７０】
【図１】第１の実施の形態の座標指示入力装置の無効状態時の断面図である。
【図２】第１の実施の形態の座標指示入力装置の有効状態時の断面図である。
【図３】第１の実施の形態の座標指示入力装置のブロック図である。
【図４】第２の実施の形態の座標指示入力装置の無効状態時の断面図である。
【図５】第２の実施の形態の座標指示入力装置の有効状態時の断面図である。
【図６】第３の実施の形態の座標指示入力装置の無効状態時の断面図である。
【図７】第３の実施の形態の座標指示入力装置の有効状態時の断面図である。
【図８】第４の実施の形態の座標指示入力装置の無効状態時の断面図である。
【図９】第４の実施の形態の座標指示入力装置の有効状態時の断面図である。
【図１０】第４の実施の形態の座標指示入力装置のブロック図である。
【図１１】第５の実施の形態の座標指示入力装置の無効状態時の断面図である。
【図１２】第５の実施の形態の座標指示入力装置の有効状態時の断面図である。
【図１３】第５の実施の形態の座標指示入力装置の無効状態時のブロック図である。
【図１４】第５の実施の形態の座標指示入力装置の有効状態時のブロック図である。
【図１５】第６の実施の形態の座標指示入力装置の有効状態時の断面図である。
【図１６】第６の実施の形態の座標指示入力装置のブロック図である。
【図１７】第７の実施の形態の座標指示入力装置の無効状態時の断面図である。
【図１８】第７の実施の形態の座標指示入力装置の有効状態時の断面図である。
【図１９】第７の実施の形態の座標指示入力装置のブロック図である。
【図２０】第８の実施の形態の座標指示入力装置の無効状態時の断面図である。
【図２１】第８の実施の形態の座標指示入力装置の有効状態時の断面図である。
【図２２】第８の実施の形態の座標指示入力装置の選択スイッチ入力時の断面図である。
【図２３】第８の実施の形態の座標指示入力装置のブロック図である。
【図２４】第９の実施の形態の座標指示入力装置の無効状態時の断面図である。
【図２５】第９の実施の形態の座標指示入力装置の有効状態時の断面図である。
【図２６】第９の実施の形態の座標指示入力装置の選択スイッチ入力時の断面図である。
【図２７】第１０の実施の形態の座標指示入力装置の無効状態時の断面図である。
【図２８】第１０の実施の形態の座標指示入力装置の有効状態時の断面図である。
【図２９】第１０の実施の形態の座標指示入力装置の選択スイッチ入力時の断面図である。
【図３０】第１１の実施の形態の座標指示入力装置の無効状態時の断面図である。
【図３１】第１１の実施の形態の座標指示入力装置の有効状態時の断面図である。
【図３２】第１１の実施の形態の座標指示入力装置の選択スイッチ入力時の断面図である。
【図３３】従来のボール型マウスの断面図である。
【図３４】従来の光学式マウスの断面図である。
【図３５】従来のボール型マウスの「マウスを漕ぐ」状態を示す図である。
【図３６】従来の光学式マウスの「マウスを漕ぐ」状態を示す図である。
【符号の説明】
【０１７１】
１：ハウジング
２：荷重姿勢変更機構
２ａ：弾性体
２ｂ：すべり板
３：手
４：すべり板
５：検出部
５ａ：発光部
５ｂ：受光部
５ｃ：光
５ｄ：反射光
７：平面
９：信号処理部
１０：ボール
１１：動きセンサ
１３：切り換えスイッチ
１５：２段スイッチ
１６：弾性体
１７：すべり板
１８ａ：すべり板
１８ｂ：弾性体
１８ｃ：選択スイッチ
１９：選択スイッチ
２２：手載せ台
【図１】
2007122475.tif 000003
【図２】
2007122475.tif 000004
【図３】
2007122475.tif 000005
【図４】
2007122475.tif 000006
【図５】
2007122475.tif 000007
【図６】
2007122475.tif 000008
【図７】
2007122475.tif 000009
【図８】
2007122475.tif 000010
【図９】
2007122475.tif 000011
【図１０】
2007122475.tif 000012
【図１１】
2007122475.tif 000013
【図１２】
2007122475.tif 000014
【図１３】
2007122475.tif 000015
【図１４】
2007122475.tif 000016
【図１５】
2007122475.tif 000017
【図１６】
2007122475.tif 000018
【図１７】
2007122475.tif 000019
【図１８】
2007122475.tif 000020
【図１９】
2007122475.tif 000021
【図２０】
2007122475.tif 000022
【図２１】
2007122475.tif 000023
【図２２】
2007122475.tif 000024
【図２３】
2007122475.tif 000025
【図２４】
2007122475.tif 000026
【図２５】
2007122475.tif 000027
【図２６】
2007122475.tif 000028
【図２７】
2007122475.tif 000029
【図２８】
2007122475.tif 000030
【図２９】
2007122475.tif 000031
【図３０】
2007122475.tif 000032
【図３１】
2007122475.tif 000033
【図３２】
2007122475.tif 000034
【図３３】
2007122475.tif 000035
【図３４】
2007122475.tif 000036
【図３５】
2007122475.tif 000037
【図３６】
2007122475.tif 000038